(57)【要約】      （修正有）【課題】磁気センサーに対する磁界の影響を軽減できる磁気センサー付き時計を提供する。【解決手段】磁気センサー付き時計１は、磁気センサー２５を内蔵するケース２と、時計用のバンド３と、ケース２のカン２１にバンド３を取り付けるバネ棒５０とを備える。バネ棒５０は、パイプと、ピンと、バネとで構成される。パイプおよびピンは非磁性材料で構成され、バネは弾性を有する非磁性材料で構成される。【選択図】図１
2019060844.tif 000002
【特許請求の範囲】
【請求項１】
磁気センサーを内蔵するケースと、
時計用のバンドと、
前記ケースのカンに前記バンドを取り付けるバネ棒とを備え、
前記バネ棒は、パイプと、ピンと、バネとで構成され、
前記パイプおよび前記ピンは非磁性材料で構成され、
前記バネは弾性を有する非磁性材料で構成される
ことを特徴とする磁気センサー付き時計。
【請求項２】
請求項１に記載の磁気センサー付き時計において、
前記パイプおよび前記ピンは、チタン材で構成されている
ことを特徴とする磁気センサー付き時計。
【請求項３】
請求項１または請求項２に記載の磁気センサー付き時計において、
前記バネは、コバルト−ニッケル合金製である
ことを特徴とする磁気センサー付き時計。
【請求項４】
請求項１から請求項３のいずれか一項に記載の磁気センサー付き時計において、
前記バンドは、非磁性材料で構成されたエンドピースを有し、
前記エンドピースが前記ケースのカンに前記バネ棒で取り付けられている
ことを特徴とする磁気センサー付き時計。
【請求項５】
請求項１から請求項３のいずれか一項に記載の磁気センサー付き時計において、
前記バネ棒は、非磁性材料で構成されたカバー部材で覆われ、
前記バンドは、非金属製の引き通しバンドである
ことを特徴とする磁気センサー付き時計。
【請求項６】
磁気センサーを内蔵するケースと、
前記ケースのカンに接続される非金属製のバンドと、
前記バンドに取り付けられ、内面に段差部が形成された金属製のパイプと、
前記カンに形成された貫通孔および前記パイプに挿入されるピンと、
前記パイプ内に配置され、前記ピンの挿入によって前記段差部に係止されるＣリングとを備え、
前記パイプおよび前記ピンは非磁性材料で構成され、
前記Ｃリングは弾性を有する非磁性材料で構成される
ことを特徴とする磁気センサー付き時計。
【請求項７】
請求項６に記載の磁気センサー付き時計において、
前記パイプおよび前記ピンは、ＳＵＳ３１６またはチタン材で構成されている
ことを特徴とする磁気センサー付き時計。
【請求項８】
請求項６または請求項７に記載の磁気センサー付き時計において、
前記Ｃリングは、コバルト−ニッケル合金製である
ことを特徴とする磁気センサー付き時計。
【請求項９】
請求項６から請求項８のいずれか一項に記載の磁気センサー付き時計において、
前記ケースは、前記磁気センサーを内蔵するケース本体と、前記ケース本体に連結された可動カンとを備え、
前記バンドは、前記ピンによって前記可動カンに接続される
ことを特徴とする磁気センサー付き時計。
【発明の詳細な説明】
【技術分野】
【０００１】
本発明は、磁気センサーを備える磁気センサー付き時計に関する。
【背景技術】
【０００２】
方位を計測する磁気センサーを内蔵する磁気センサー付き時計が知られている。磁気センサーは、磁気の影響を受けると正しい方位を計測できない。このため、例えば、時計内部のステップモーターの磁界の影響を除去するための補正手段を備えた磁気センサー付き時計がある（特許文献１）。
【先行技術文献】
【特許文献】
【０００３】
【特許文献１】特開平１０−１７０６６４号公報
【発明の概要】
【発明が解決しようとする課題】
【０００４】
磁気センサー付き時計において、磁気センサーに影響を与える部品として、時計ケース内の部品以外に、時計バンドがある。特に、時計バンドや、時計バンドを時計ケースに接続する部品が磁化しやすい材料で製造されている場合は、磁化した部品の影響により、磁気センサーが正常に動作しない。
そこで、チタンなどの非磁性材料製の時計バンドを用いることで、バンドの磁化を防止して磁気センサーに影響を与えることを防ぐことが考えられる。
【０００５】
ところで、時計ケースの２本のカンの間に、時計バンドのエンドピースを取り付ける場合、通常は、ＳＵＳ材のバネ棒を用いて取り付ける。この場合、バネ棒が着磁する可能性があり、着磁した場合には磁気センサーに影響を与え、正確な方位を測定して指示することができないという問題がある。
【０００６】
本発明の目的は、磁気センサーに対する磁界の影響を軽減できる磁気センサー付き時計を提供することにある。
【課題を解決するための手段】
【０００７】
本発明の磁気センサー付き時計は、磁気センサーを内蔵するケースと、時計用のバンドと、前記ケースのカンに前記バンドを取り付けるバネ棒とを備え、前記バネ棒は、パイプと、ピンと、バネとで構成され、前記パイプおよび前記ピンは非磁性材料で構成され、前記バネは弾性を有する非磁性材料で構成されることを特徴とする。
【０００８】
本発明によれば、バンドを時計のケースのカンに接続するバネ棒を、チタンなどの磁化し難い非磁性材料で構成されたパイプおよびピンと、コバルト−ニッケル合金などの弾性を有する磁化し難い非磁性材料で構成されたバネとで構成したので、バネ棒が着磁して磁気センサーに影響を与えることも防止できる。したがって、磁気センサーが正しく動作し、磁気センサーによって正しい方位を検出して指示することができる。
【０００９】
本発明の磁気センサー付き時計において、前記パイプおよび前記ピンは、チタン材で構成されていることが好ましい。
【００１０】
本発明によれば、パイプおよびピンは、チタン材で構成されているので、パイプおよびピンが着磁することを抑制でき、磁気センサーが磁界の影響を受けることも防止できる。また、ＳＵＳ３１６等のステンレス鋼を用いる場合に比べて、バネ棒を軽量化できる。
【００１１】
本発明の磁気センサー付き時計において、前記バネは、コバルト−ニッケル合金製であることが好ましい。
【００１２】
本発明によれば、バネは、コバルト−ニッケル合金で構成されているので、バネが着磁することを抑制でき、磁気センサーが磁界の影響を受けることも防止できるとともに、バネとして必要なバネ性も確保できる。
【００１３】
本発明の磁気センサー付き時計において、前記バンドは、非磁性材料で構成されたエンドピースを有し、前記エンドピースが前記ケースのカンに前記バネ棒で取り付けられていてもよい。
【００１４】
本発明によれば、チタン材などの非磁性材料で構成されたエンドピースをバネ棒でケースのカンに取り付けているので、バネ棒を撓ませることで、エンドピースをケースに対して回転しないように取り付けることができ、ケースに対してエンドピースががたつくことを防止できる。
【００１５】
本発明の磁気センサー付き時計において、前記バネ棒は、非磁性材料で構成されたカバー部材で覆われ、前記バンドは、非金属製の引き通しバンドであってもよい。
【００１６】
本発明によれば、レザーバンド、シリコンバンド、ナイロンバンド、ウレタンバンドなどの非金属製のバンドを、ケースの１２時側のバネ棒とケース間から裏蓋側を経由して６時側のバネ棒とケース間に引き通すことで、引き通し式のバンドを構成できる。この際、バネ棒を、チタンやＳＵＳ３１６等の非磁性材料のカバー部材で覆っているので、バネ棒が直接バンドに接触することを防止できる。このため、バネ棒のピンに治具を係止するためのフランジを形成していても、このフランジ部分がバンドに引っかかってバンドが損傷することを防止できる。このため、バネ棒としてフランジ無しのタイプを別途用意する必要が無く、バネ棒の種類を少なくできてコストを低減できる。
【００１７】
本発明の磁気センサー付き時計は、磁気センサーを内蔵するケースと、前記ケースのカンに接続される非金属製のバンドと、前記バンドに取り付けられ、内面に段差部が形成された金属製のパイプと、前記カンに形成された貫通孔および前記パイプに挿入されるピンと、前記パイプ内に配置され、前記ピンの挿入によって前記段差部に係止されるＣリングとを備え、前記パイプおよび前記ピンは非磁性材料で構成され、前記Ｃリングは弾性を有する非磁性材料で構成されることを特徴とする。
【００１８】
本発明によれば、時計用のバンドとしてレザーバンドなどの非金属製のバンドを用いているので、バンドが着磁して磁気センサーに影響を与えることを防止できる。また、バンドを時計のケースのカンに接続する接続部材として、チタンなどの磁化し難い非磁性材料で構成されたパイプおよびピンと、コバルト−ニッケル合金などの弾性を有する磁化し難い非磁性材料で構成されたＣリングとで構成したので、接続部材が着磁して磁気センサーに影響を与えることも防止できる。したがって、時計用のバンドおよびバンドの接続部材が磁化することを防止でき、磁気センサーに影響することも防止できるので、磁気センサーが正しく動作し、磁気センサーによって正しい方位を検出して指示することができる。
【００１９】
本発明の磁気センサー付き時計において、前記パイプおよび前記ピンは、ＳＵＳ３１６またはチタン材で構成されていることが好ましい。
【００２０】
本発明によれば、パイプおよびピンは、ＳＵＳ３１６またはチタン材で構成しているので、パイプおよびピンが着磁することを抑制でき、磁気センサーが磁界の影響を受けることも防止できる。
また、パイプおよびピンをＳＵＳ３１６で構成すれば、チタン材に比べて安価に構成できる。また、パイプおよびピンをチタン材で構成すれば、ＳＵＳ３１６に比べて軽量化できる。
【００２１】
本発明の磁気センサー付き時計において、前記Ｃリングは、コバルト−ニッケル合金製であることが好ましい。
【００２２】
本発明によれば、Ｃリングは、コバルト−ニッケル合金で構成しているので、Ｃリングが着磁することを抑制でき、磁気センサーが磁界の影響を受けることも防止できるとともに、Ｃリングとして必要なバネ性も確保できる。
【００２３】
本発明の磁気センサー付き時計において、前記ケースは、前記磁気センサーを内蔵するケース本体と、前記ケース本体に連結された可動カンとを備え、前記バンドは、前記ピンによって前記可動カンに接続されることが好ましい。
【００２４】
本発明によれば、可動カンを備えているので、磁気センサー付き時計を腕に装着した際に、可動カンがケース本体に対して回動して手首にフィットし、装着性を向上できる。
【図面の簡単な説明】
【００２５】
【図１】本発明の第１実施形態の磁気センサー付き時計を示す正面図。
【図２】前記第１実施形態のカンとバンドとの連結構造を示す断面図。
【図３】前記カンとバンドとを連結するバネ棒を示す断面図。
【図４】本発明の第１実施形態の変形例の磁気センサー付き時計を示す斜視図。
【図５】前記変形例の引き通しバンドの取付構造を示す拡大断面図。
【図６】本発明の第２実施形態の磁気センサー付き時計を示す正面図。
【図７】前記第２実施形態の磁気センサー付き時計を示す斜視図。
【図８】前記第２実施形態の可動カンとバンドとの連結構造を示す断面図。
【図９】前記第２実施形態の可動カンとバンドとの連結構造の詳細を示す拡大断面図。
【発明を実施するための形態】
【００２６】
［第１実施形態］
以下、本発明の第１実施形態の磁気センサー付き時計１（以下、時計１と略す）を図面に基づいて説明する。
時計１は、ユーザーの手首に装着される腕時計であり、図１、２に示すように、外装ケース２と、外装ケース２に接続された時計用のバンド３とを備える。外装ケース２には、図示略のムーブメントと、円板状の文字板４と、指針１０と、操作部材であるリューズ５、Ａボタン６、Ｂボタン７、Ｃボタン８とが設けられる。
【００２７】
文字板４は、メインダイヤル４０と、サブダイヤル４１とを備える。指針１０は、メインダイヤル４０を指示するセンター針（時針１１、分針１２、方位指示針１３）と、サブダイヤル４１を指示する小秒針１４とを備える。
時針１１、分針１２、方位指示針１３、小秒針１４は、ムーブメントに設けられたモーターでそれぞれ駆動される。
【００２８】
外装ケース２は、図２に示すように、胴２０、裏蓋２６、ガラス縁２７を備え、これらの部品は純チタン等のチタン材で構成されている。胴２０の１２時側および６時側には、バンド３が取り付けられる一対のカン２１がそれぞれ形成されている。
一対のカン２１の対向面には、後述するバネ棒５０が挿入されるカン穴２３が形成されている。
外装ケース２は、磁気センサー２５を内蔵する。本実施形態の時計１では、図１に示すように、磁気センサー２５は平面視では文字板４の１２時に近い位置に配置されている。
そして、操作部材の操作によって、方位を指示するコンパスモードが選択されると、磁気センサー２５が作動されて方位計測が実行され、方位指示針１３は計測結果に基づき、「北」の方角を指示する。
【００２９】
バンド３は、図２にも示すように、外装ケース２の１２時側および６時側の一対のカン２１に接続されるエンドピース３１と、複数の駒３２と、図示略の中留とを備える。
エンドピース３１、駒３２は、純チタンなどのチタン材で構成される。また、エンドピース３１、駒３２の連結には、メタルバンドの連結構造として一般的なＣリングおよびピンを用いることができる。ただし、耐磁性能を向上させるためには、ピンはチタン材やＳＵＳ３１６等の非磁性材料で構成し、Ｃリングはコバルト−ニッケル合金等の弾性を有する非磁性材料で構成することが好ましい。
中留は、チタン材で構成してもよいが、磁気センサー２５から離れて設けられ、仮に着磁しても影響が殆ど無いため、ＳＵＳ３０４等のステンレス鋼で構成してもよい。
【００３０】
エンドピース３１には、バンド３の幅方向に貫通する貫通孔３１１が形成され、貫通孔３１１にバネ棒５０が挿通される。
エンドピース３１の貫通孔３１１に挿通されたバネ棒５０は、前述のとおり、カン２１の各カン穴２３に挿入され、これにより、カン２１とエンドピース３１つまり外装ケース２とバンド３とが連結される。なお、図２に示すように、貫通孔３１１の中心軸と、カン穴２３の中心軸とは所定寸法Ｌ１だけずれて形成されている。これにより、バネ棒５０が撓んで配置され、バンド３がケース２に押し付けられる。その結果、バンド３のエンドピース３１が回転せずにケース２に連結される。
また、エンドピース３１の裏面には、前記貫通孔３１１の両端部に連通する切欠部３１２が形成されており、貫通孔３１１に挿入したバネ棒５０の両端が切欠部３１２に露出するようにされている。
【００３１】
［バネ棒の構成］
図３は、バネ棒５０の断面図である。バネ棒５０は、円筒状のパイプ５１と、パイプ５１の両端に挿入される一対のピン５２と、パイプ５１の内部で一対のピン５２の間に位置し、両方のピン５２をパイプ５１の外側に向けて付勢するバネ５３とを備えている。
パイプ５１は、着磁し難い非磁性材料である純チタン材で製造されたチタン管である。パイプ５１の開口端部５１１は、パイプ５１の中心軸側に曲げられて開口の径寸法がパイプ５１の内径よりも小さくなるように加工されている。この開口端部５１１は、ピン５２の段差部（後述する大径部５２１と小径部５２２との段差部）に係合し、ピン５２がパイプ５１から外れることを防止する。
【００３２】
各ピン５２は、着磁し難い非磁性材料であるチタン合金等のチタン材で製造されたものである。各ピン５２は、大径部５２１と、小径部５２２と、フランジ５２３と、挿入部５２４とを備えている。
大径部５２１は、パイプ５１内に配置されてバネ５３が当接する部分であり、その径寸法は前記パイプ５１の開口端部５１１の開口の寸法よりも大きくされている。
小径部５２２は、大径部５２１に連続して形成され、開口端部５１１の開口の寸法よりも小さい径寸法とされている。このため、小径部５２２は開口端部５１１の開口を通してパイプ５１の外側に突出して設けられている。
フランジ５２３は、小径部５２２の端部において軸方向に間隔を空けて２つ形成されている。フランジ５２３の径寸法は小径部５２２よりも大きい寸法とされている。さらに、フランジ５２３は、開口端部５１１の開口寸法よりも大きい寸法とされ、ピン５２をパイプ５１内に押し込んだ際に、フランジ５２３が開口端部５１１に当接することで、それ以上押し込むことができないように構成されている。また、フランジ５２３は、カン穴２３の開口寸法よりも大きい寸法とされ、挿入部５２４がカン穴２３に挿入された際に、フランジ５２３がカン２１に当接するように構成されている。
挿入部５２４は、フランジ５２３に連続して形成され、小径部５２２の径寸法よりも小さい径寸法とされている。この挿入部５２４は、一対のカン２１のカン穴２３に挿入可能な寸法とされている。
このように構成されたピン５２は、パイプ５１の軸方向に沿ってスムーズに進退可能とされている。
【００３３】
バネ５３は、コバルト−ニッケル合金で製造されたコイルバネである。バネ５３に用いられるコバルト−ニッケル合金は、バネ性（弾性）を有し、かつ、着磁し難い特性を有する非磁性材料である。
【００３４】
このように構成されたバネ棒５０において、ピン５２は、図３に示すように、バネ５３に付勢されて小径部５２２がパイプ５１の外側に突出した状態と、図示は略すが、ピン５２がパイプ５１の内側に向かって押し込まれ、フランジ５２３がパイプ５１の開口端部５１１に当接する状態との間で進退可能とされている。
【００３５】
次に、バネ棒５０を用いてバンド３のエンドピース３１を、外装ケース２のカン２１に連結する工程について説明する。
まず、エンドピース３１の貫通孔３１１にバネ棒５０を挿入する。
次に、エンドピース３１の裏面の切欠部３１２からバネ棒用の治具を差し込み、治具をフランジ５２３に係合してピン５２をパイプ５１内側に押し込みながら、エンドピース３１を一対のカン２１の間に配置する。そして、挿入部５２４をカン穴２３の位置に合わせて治具によるピン５２の押し込み力を弱めると、ピン５２はバネ５３の付勢力で外側に移動し、挿入部５２４がカン穴２３内に挿入される。この際、バネ棒５０が挿入されている貫通孔３１１の中心軸と、カン穴２３の中心軸とがずれているため、バネ棒５０が撓む。これにより、エンドピース３１は、外装ケース２に押し付けられ、エンドピース３１は回転せずに外装ケース２に固定される。
なお、バンド３を外す場合には、切欠部３１２から治具を差し込んで、ピン５２をパイプ５１の内側に移動してカン穴２３から外す。これにより、バネ棒５０とカン穴２３との係合が解除され、エンドピース３１をカン２１から取り外すことができる。
【００３６】
［第１実施形態の作用効果］
このような第１実施形態によれば、次の作用効果を奏することができる。
バンド３として、チタン材のエンドピース３１や駒３２を用いているので、メタルバンド３が着磁して磁気センサー２５に影響を与えることを防止できる。
また、バンド３をカン２１に連結するバネ棒５０として、チタン製のパイプ５１、ピン５２と、コバルト−ニッケル合金製のバネ５３とを用いたので、磁化し難い材料でバネ棒５０を構成することができる。このため、バネ棒５０が着磁することを防止でき、磁気センサー２５によって正しい方位を検出して、方位指示針１３で指示することができる。
【００３７】
カン２１とバンド３とは、バネ棒５０を用いて連結しているので、チタン製のネジピンを用いて連結する場合に比べて、カン穴２３も小さな径にでき、デザイン性も向上できる。
【００３８】
［第１実施形態における変形例］
なお、本発明は前記第１実施形態に限定されず、本発明の要旨の範囲内で種々の変形実施が可能である。
例えば、エンドピース３１や駒３２はチタン材に限定されず、ＳＵＳ３１６等を用いてもよく、磁化されにくい非磁性材料であればよい。また、バネ５３もコバルト−ニッケル合金製に限定されず、弾性を有し磁化されにくい非磁性材料であればよい。
バンド３としては、メタルバンドに限らず、レザーバンド（皮革バンド）や樹脂バンド（ウレタンバンド、ナイロンバンド、シリコンバンド）などでもよい。すなわち、バネ棒５０を用いて固定できるバンドであればよい。
【００３９】
また、バネ棒５０は、図４および図５に示すように、引き通しバンド３Ａの取付に利用することもできる。引き通しバンド３Ａは、レザーバンド、樹脂バンド、シリコンバンドなどの非金属製の引き通しバンドで構成される。引き通しバンド３Ａは、ケース２の１２時側のバネ棒５０とケース２との間から、裏蓋２６部分を介して、６時側のバネ棒５０とケース２との間に挿通されて、ケース２に取り付けられる。
また、バネ棒５０は非磁性材料製のカバー部材６０で被覆されている。カバー部材６０は、ＳＵＳ３１６やチタン材で製造された金属パイプであり、カバー部材６０内にバネ棒５０を挿入することでバネ棒５０を被覆している。これにより、バネ棒５０のピン５２のフランジ５２３は外部に露出せず、引き通しバンド３Ａはカバー部材６０に接触して挿通される。
【００４０】
バネ棒５０およびカバー部材６０が非磁性材料で構成されているので、バネ棒５０およびカバー部材６０が着磁することを防止でき、磁気センサー２５によって正しい方位を検出して、方位指示針１３で指示することができる。
また、バネ棒５０をカバー部材６０で被覆しているので、バネ棒５０のフランジ５２３が露出して引き通しバンド３Ａに接触することを防止できる。このため、引き通しバンド３Ａがフランジ５２３に引っ掛かって裂けてしまうことも防止できる。
なお、引き通しバンド３Ａ用のバネ棒として、フランジが形成されていないバネ棒を用いた場合にはカバー部材６０を不要にできる。ただし、チタン製のバネ棒５０はコストが高いため、一対のカン２１の間の幅寸法に加えて、フランジの有無で複数種類のバネ棒５０を用意することが難しい。一方、カバー部材６０を設ければ、バネ棒５０は、通常のバンド３および引き通しバンド３Ａとで兼用できるので、バネ棒５０の種類を少なくでき、コストも低減できる。
【００４１】
［第２実施形態］
以下、本発明の第２実施形態の磁気センサー付き時計１００（以下、時計１００と略す）を図面に基づいて説明する。なお、第２実施形態の時計１００において、前記第１実施形態の時計１と同一の構成については同一符号を付し、説明を簡略または省略する。
時計１００は、ユーザーの手首に装着される腕時計であり、図６、７に示すように、外装ケース１２０と、外装ケース１２０に接続されたバンド１３０とを備える。外装ケース１２０には、図示略のムーブメントと、円板状の文字板４と、指針１０と、操作部材であるリューズ５、Ａボタン６、Ｂボタン７、Ｃボタン８とが設けられる。
【００４２】
文字板４は、メインダイヤル４０と、サブダイヤル４１とを備える。指針１０は、メインダイヤル４０を指示するセンター針（時針１１、分針１２、方位指示針１３）と、サブダイヤル４１を指示する小秒針１４とを備える。
時針１１、分針１２、方位指示針１３、小秒針１４は、ムーブメントに設けられたモーターでそれぞれ駆動される。
【００４３】
外装ケース１２０は、図７に示すように、ケース本体１２０Ａと、ケース本体１２０Ａの１２時側および６時側に回動可能に連結された可動カン１２１、１２２とを備える。ケース本体１２０Ａおよび可動カン１２１、１２２は、チタン材であり、チタン製のネジピン１２３で回動可能に連結されている。
可動カン１２１、１２２は、バンド１３０が連結される一対の取付部１２４を備えている。取付部１２４には、後述するピン１７０が挿入されるカン穴１２４Ａが貫通して形成されている。
【００４４】
外装ケース１２０は、磁気センサー２５を内蔵する。本実施形態の時計１００では、図６に示すように、磁気センサー２５は平面視では文字板４の１２時に近い位置に配置されている。
そして、操作部材の操作によって、方位を指示するコンパスモードが選択されると、磁気センサー２５が作動されて方位計測が実行され、方位指示針１３は計測結果に基づき、「北」の方角を指示する。
【００４５】
バンド１３０は、外装ケース１２０の１２時側の可動カン１２１に接続される第１のレザーバンド１３１と、外装ケース１２０の６時側の可動カン１２２に接続される第２のレザーバンド１３２と、中留１３３とを備える。中留１３３は、磁気センサー２５から離れて設けられ、仮に着磁しても影響が殆ど無いため、ＳＵＳ３０４等で構成されている。
【００４６】
可動カン１２１、１２２と、レザーバンド１３１、１３２とは、図８に示すように、連結部材１５０で連結されている。連結部材１５０は、パイプ１６０と、ピン１７０と、Ｃリング１８０とを備える。
パイプ１６０およびピン１７０はＳＵＳ３１６またはチタン材であり、Ｃリング１８０はコバルト−ニッケル合金製である。ＳＵＳ３１６またはチタン材は、着磁し難い非磁性材料である。Ｃリング１８０に用いられるコバルト−ニッケル合金は、バネ性（弾性）を有し、かつ、着磁し難い特性を有する非磁性材料である。
【００４７】
パイプ１６０は円筒状に形成されている。パイプ１６０の内周面は、図９にも示すように、ピン１７０が挿入可能な内径とされた小径部１６１と、小径部１６１よりも内径が大きな大径部１６２とがパイプ１６０の軸方向に連続して形成されている。このため、小径部１６１と大径部１６２とが連続する部分には段差部１６３が形成されている。このため、パイプ１６０は、内面段付きのパイプとされている。
大径部１６２の軸方向の長さ寸法Ｌ３は、パイプ１６０の一方の開口からＣリング１８０の幅寸法Ｌ２に合わせて形成され、幅寸法Ｌ２に比べて僅かに長くされている。
【００４８】
なお、図９に示すように、カン穴１２４Ａの内径φ１は、ピン１７０が挿入可能な寸法とされ、例えば０．９５ｍｍである。
また、パイプ１６０の小径部１６１の内径は、カン穴１２４Ａの内径φ１と同じ（０．９５ｍｍ）であり、大径部１６２の内径φ２は１．２５ｍｍ、大径部１６２の軸方向の長さＬ３は３．００ｍｍである。
段差部１６３の高さ寸法は、（大径部１６２の内径φ２−小径部１６１の内径φ１）／２であり、本実施形態では、（１．２５−０．９５）／２＝０．１５ｍｍである。
【００４９】
ピン１７０は断面円形の棒状に形成されている。ピン１７０の外周面は、前記小径部１６１に対応する位置に配置される大径部１７１と、前記大径部１６２に対応する位置に配置される小径部１７２とを備える。小径部１７２は、ピン１７０の一方の端部から所定寸法の位置に形成され、この小径部１７２の一方の端部側にはカン穴１２４Ａに挿入される挿入部１７３が形成されている。なお、挿入部１７３は、小径部１７２が形成されていないピン１７０の他方の端部にも形成されている。
ピン１７０の大径部１７１の外径φ３は、パイプ１６０の小径部１６１内に挿入可能な寸法に設定され、例えば０．９０ｍｍとされている。ピン１７０の小径部１７２の外径φ４は、パイプ１６０の大径部１６２よりも小さな寸法とされ、例えば、０．８０ｍｍとされている。
【００５０】
Ｃリング１８０は、パイプ１６０の大径部１６２に配置される。ここで、ピン１７０の大径部１７１がＣリング１８０部分に挿入されている場合は、Ｃリング１８０は外側に広がって大径部１６２部分に配置される。これにより、ピン１７０の大径部１７１をＣリング１８０に挿入することができる。また、ピン１７０を押し込んで、大径部１７１がＣリング１８０から外れ、小径部１７２がＣリング１８０内に移動すると、Ｃリング１８０は元の状態に戻る。ピン１７０の小径部１７２に配置された状態のＣリング１８０の外径φ５は、カン穴１２４Ａや小径部１６１の内径φ１よりも大きい。
このため、Ｃリング１８０が小径部１７２に嵌められたピン１７０が、図９の左方向に移動しようとしても、Ｃリング１８０の端面がパイプ１６０の段差部１６３に当たるため、移動が規制される。また、ピン１７０が、図９の右方向に移動しようとしても、Ｃリング１８０の端面が取付部１２４に当たるため、移動が規制される。したがって、ピン１７０はパイプ１６０に対して軸方向の移動が規制されて取り付けられる。
この際、ピン１７０の両端に形成された各挿入部１７３は、図８に示すように、各カン穴１２４Ａ内に挿入されているので、バンド１３０を可動カン１２１、１２２に連結することができる。
【００５１】
次に、連結部材１５０を用いてバンド１３０を可動カン１２１、１２２に連結する工程について説明する。
まず、バンド１３０の端部にパイプ１６０を挿入する。バンド１３０の端部は折り返されることなどでパイプ１６０を挿入可能な貫通孔が形成されており、この貫通孔にパイプ１６０を挿入する。
また、パイプ１６０の大径部１６２にＣリング１８０を配置しておく。Ｃリング１８０の配置は、バンド１３０の貫通孔にパイプ１６０を挿入する前後いずれでもよい。
次に、パイプ１６０およびＣリング１８０が入ったバンド１３０の端部を、可動カン１２１、１２２の取付部１２４の間に配置する。そして、ピン１７０を取付部１２４のカン穴１２４Ａからパイプ１６０内に差し込む。
すると、バネ性を有するＣリング１８０は、ピン１７０の大径部１７１によって外側に押し広げられ、大径部１７１がＣリング１８０部分を通過し、Ｃリング１８０の内側に小径部１７２が移動すると、Ｃリング１８０は小径部１７２に密着するように縮径する。これにより、Ｃリング１８０はピン１７０の小径部１７２に係止され、このＣリング１８０が段差部１６３および可動カン１２１、１２２の取付部１２４間に係合するため、ピン１７０がパイプ１６０やカン穴１２４Ａから抜け落ちることが防止される。よって、可動カン１２１、１２２にバンド１３０の端部が連結される。
なお、バンド１３０を外す場合には、カン穴１２４Ａから治具を差し込んでピン１７０を移動し、Ｃリング１８０を拡径させて小径部１７２部分からＣリング１８０を外す。これにより、Ｃリング１８０によるピン１７０の係止が解除されるため、そのまま、ピン１７０を押してパイプ１６０から外すことができる。これにより、バンド１３０を可動カン１２１、１２２から取り外すことができる。
【００５２】
［第２実施形態の作用効果］
このような第２実施形態によれば、次の作用効果を奏することができる。
バンド１３０として、レザーバンド１３１、１３２を用いているので、レザーバンド１３１、１３２が着磁して磁気センサー２５に影響を与えることを防止できる。
また、バンド１３０を可動カン１２１、１２２に連結する連結部材１５０として、ＳＵＳ３１６やチタン製のパイプ１６０、ピン１７０と、コバルト−ニッケル合金製のＣリング１８０とを用いたので、磁化し難い材料で連結部材１５０を構成することができる。
このため、連結部材１５０が着磁して磁気センサー２５に影響することを防止でき、磁気センサー２５によって方位を検出する場合も正しい方位を検出して、方位指示針１３で指示することができる。
特に、ユーザーの手首への時計１００の装着状態などによって、可動カン１２１、１２２に対してレザーバンド１３１、１３２が動くと、連結部材１５０も動いてしまう。このため、連結部材１５０が仮に着磁していると、磁気センサー２５の１２時側の磁界と、６時側の磁界との釣り合いが変化し、方位検出に影響し、検出した方位に誤差が生じる。これに対し、本実施形態では、着磁し難い材料のみで連結部材１５０を構成したので、仮に連結部材１５０が動いた場合でも、磁界の釣り合いに影響を与えず、磁気センサー２５によって正しい方位を検出することができる。
【００５３】
一般的なメタルバンドでは、連結部材として、ピンおよびＣリングのみを用いていたが、レザーバンド１３１、１３２の場合、Ｃリングを収める部分が無いため、レザーバンド１３１、１３２と可動カン１２１、１２２とを連結することができず、バネ棒を用いる必要があった。
これに対し、本実施形態では、新たに内面段付きのパイプ１６０を用意し、このパイプ１６０をレザーバンド１３１、１３２内に挿入する構成を採用した。これにより、パイプ１６０の大径部１６２にＣリング１８０を収めることができ、ピン１７０およびＣリング１８０を用いて可動カン１２１、１２２とレザーバンド１３１、１３２とを連結することができる。これにより、バネ棒を用いて連結する構造に比べて、コイルバネを不要にできてコストを低減できる。
【００５４】
可動カン１２１、１２２とバンド１３０とは、ピン１７０を用いて連結しているので、チタン製のネジピンを用いて、可動カン１２１、１２２とバンド１３０とを連結する場合に比べて、連結部材１５０のサイズを小さくできる。このため、バンド１３０の端部も薄くでき、カン穴１２４Ａも小さな径にできるため、デザイン性も向上できる。
【００５５】
［第２実施形態の変形例］
なお、本発明は前記第２実施形態に限定されず、本発明の要旨の範囲内で種々の変形実施が可能である。
例えば、バンド１３０としては、中留１３３を備えずに、美錠やつく棒を用いたものでもよい。また、バンド１３０としては、レザーバンド（皮革バンド）に限定されず、樹脂バンド（ウレタンバンド、ナイロンバンド、シリコンバンド）などでもよく、非金属製のバンドであればよい。
前記実施形態の連結部材１５０は、可動カン１２１、１２２にバンド１３０を連結するために用いられていたが、ケース本体１２０Ａに一体に形成されるカンにバンド１３０を連結する場合にも利用できる。
【符号の説明】
【００５６】
１…磁気センサー付き時計、２…外装ケース、３…バンド、３Ａ…引き通しバンド、４…文字板、５…リューズ、６…Ａボタン、７…Ｂボタン、８…Ｃボタン、１０…指針、１１…時針、１２…分針、１３…方位指示針、１４…小秒針、２０…胴、２１…カン、２３…カン穴、２５…磁気センサー、２６…裏蓋、２７…ガラス縁、３１…エンドピース、３２…駒、４０…メインダイヤル、４１…サブダイヤル、５０…バネ棒、５１…パイプ、５２…ピン、５３…バネ、６０…カバー部材、３１１…貫通孔、３１２…切欠部、５１１…開口端部、５２１…大径部、５２２…小径部、５２３…フランジ、５２４…挿入部、１００…磁気センサー付き時計、１２０…外装ケース、１２０Ａ…ケース本体、１２１、１２２…可動カン、１２３…ネジピン、１２４…取付部、１２４Ａ…カン穴、１３０…バンド、１３１…第１のレザーバンド、１３２…第２のレザーバンド、１３３…中留、１５０…連結部材、１６０…パイプ、１６１…小径部、１６２…大径部、１６３…段差部、１７０…ピン、１７１…大径部、１７２…小径部、１７３…挿入部、１８０…Ｃリング。
【図１】
2019060844.tif 000003
【図２】
2019060844.tif 000004
【図３】
2019060844.tif 000005
【図４】
2019060844.tif 000006
【図５】
2019060844.tif 000007
【図６】
2019060844.tif 000008
【図７】
2019060844.tif 000009
【図８】
2019060844.tif 000010
【図９】
2019060844.tif 000011